(57)【要約】  一実施形態に係る複合筆記具は、先端側に開口部が設けられた軸筒と、軸筒内に収納される複数の筆記軸と、軸筒の中心軸線周りに回転するカム本体であって、先端側に向けて突出するカム突起と、カム突起に沿って先端側に面する端面と、カム突起の頂点部分に設けられた係止凹部とを有するカム本体と、複数の筆記軸それぞれの後端に接続される複数のスライダであって、後端側に面して端面に押圧される摺接面が設けられるとともに、カム本体の係止凹部に係止可能に形成されたカムを有する複数のスライダとを備え、端面は、カム突起において先端側に位置し、中心軸線に対して第１の傾斜角度で傾斜する第１傾斜部と、カム突起において第１傾斜部よりも後端側に位置し、第１の傾斜角度より大きい第２の傾斜角度で傾斜する第２傾斜部とを有する。
2017104324.tif 000002
【特許請求の範囲】
【請求項１】
先端側に開口部が設けられた軸筒と、
前記軸筒内に収納される複数の筆記軸と、
先端側に向けて突出するカム突起と、該カム突起に沿って先端側に面する端面と、該カム突起の頂点部分に設けられた係止凹部とを有し、前記軸筒の中心軸線周りに回転するカム本体と、
後端側に面して前記端面に押圧される摺接面が設けられるとともに、前記カム本体の係止凹部に係止可能に形成されたカムを有し、前記複数の筆記軸それぞれの後端に接続される複数のスライダとを備え、
前記端面は、前記カム突起において先端側に位置し、前記中心軸線に対して第１の傾斜角度で傾斜する第１傾斜部と、前記カム突起において前記第１傾斜部よりも後端側に位置し、該第１の傾斜角度より大きい第２の傾斜角度で該中心軸線に対して傾斜する第２傾斜部とを有することを特徴とする複合筆記具。
【請求項２】
前記端面は、前記第１傾斜部と前記第２傾斜部とを接続し、前記中心軸線に対して前記第２の傾斜角度より大きい第３の傾斜角度で傾斜する第３傾斜部を更に有することを特徴とする請求項１に記載の複合筆記具。
【請求項３】
前記第１傾斜部と前記第３傾斜部との接続部、及び前記第２傾斜部と前記第３傾斜部との接続部は、曲面で構成されることを特徴とする請求項２に記載の複合筆記具。
【発明の詳細な説明】
【技術分野】
【０００１】
本発明は、複数の筆記軸を軸筒に収納し、該複数の筆記軸のうち選択的に１つの筆記軸の先端を軸筒から突出可能とした複合筆記具に関する。
【背景技術】
【０００２】
従来、ボールペン筆記軸、シャープペンシル筆記軸などの任意の複数の筆記軸を軸筒に収納し、この軸筒の先端に設けられた開口部から１つの筆記軸の先端を選択的に突出可能とした複合筆記具が知られている。【０００３】
このような複合筆記具として、例えば、先軸筒と先軸筒に対して相対回転可能な後軸筒とからなる軸筒と、後軸筒に対して回転不能なカム本体と、先軸筒に対して回転不能となり各筆記軸の後端部に連結されたスライダとを備え、前方に向けて突出するＶ字状のカム突起と、カム突起に沿って前方に面するカム面と、カム面のカム突起の頂点部分の係止部とをカム本体に設け、後方に向けて突出するＶ字状のカムと、カムに沿って後方に面する摺接面とをスライダに設け、スライダの摺接面がカム本体のカム面に押圧され、後軸筒と先軸筒とが相対回転されることによって、選択的に筆記軸の先端が軸筒の先端開口から突出する複合筆記具が知られている（特許文献１参照）。
【先行技術文献】
【特許文献】
【０００４】
【特許文献１】特開２００５−１６１８２９号公報  （例えば、段落０００８参照）
【発明の概要】
【発明が解決しようとする課題】
【０００５】
従来、複合筆記具の筆記軸を軸筒の先端開口から従来よりも大きい突出量で突出させること、及び筆記軸を軸筒の先端開口から従来よりも引き込んで収納させることが求められていた。この従来の要求を満たす複合筆記具を提供するために、後軸筒と先軸筒とを相対回転させて筆記軸の先端を突出させる複合筆記具においては、軸筒に収納された状態における筆記軸の先端の位置から軸筒の先端開口から突出された状態における筆記軸の先端の位置までの距離である移動量を増大させることが求められる。【０００６】
筆記軸の移動量を増大させる方法としては、筆記軸の突出量を増大させる、即ち、突出状態における筆記軸の先端の位置をより先端側にすることが考えられる。ここで、筆記軸の突出量を増大させたカム本体について説明する。【０００７】
図１２に示すカム本体は、筆記軸の突出量を増大させていない、端面７０及び係止凹部７０ａが設けられたカム突起と比較して、より先端側へ突出されたカム突起を有し、その端面７１は端面７０と比較して急峻な傾斜を有し、その係止凹部７１ａは係止凹部７０ａと比較してより先端側に位置する。カム本体は、それぞれが筆記軸９０の後端に接続され、後端側に面する摺接面を有する略Ｖ字状のカム８０ａを有する３つのスライダ８０を複合筆記具の先端側に移動させるものである。【０００８】
筆記軸９０を軸筒内に収納した収納状態から筆記軸９０を軸筒から突出させた突出状態とする場合、端面７０及び係止凹部７０ａが設けられたカム突起による場合には、突出する筆記軸９０に対応するカム８０ａは端面７０を摺接して係止凹部７０ａまで到達して係止される。ここで、残りの２つのカム８０ａはその摺接面が端面７０に接触し、この接触によって係止されたカム８０ａが係止凹部７０ａを越える際に回転反力を生じさせることができ、ユーザは回転操作を停止することができるから、筆記軸９０は安定して突出される。【０００９】
一方、カム突起の頂点、即ち係止凹部７１ａをより先端側となるように、端面７１のように比較的急峻な傾斜を形成した場合、筆記軸を突出させた際に係止凹部７１ａに係止されているカム以外の２つのカム８０ａと端面７１との間に間隙が生じる。この間隙が生じると上述の回転反力が生じず、係止されたカム８０ａが係止凹部７１ａを容易に超えることとなり、筆記軸９０は安定して突出されない。【００１０】
一方で、図１２に示した端面７１を、図１３に示すように、筆記軸の収納位置をより後端側とするように形成された端面７２として更に変更する場合には、収納位置にある筆記軸に対応するカム８０ａの摺接面と端面７２との距離を狭めて、カム８０ａと端面７２との間隙を無くすことができる。しかし、図１２に示した端面７１、図１３に示した端面７２のいずれについても、その傾斜角度は急峻となることにより、後軸筒と先軸筒との相対回転、即ち軸筒の中心軸線周りのカム本体の回転操作に要する回転トルクが増大し、複合筆記具の操作性が低下する。つまり、筆記軸の移動量を増大させるにあたって、カム本体の回転操作に要する回転トルクもまた増大する、という問題があった。【００１１】
本発明の実施形態は、上述した問題点を解決するためになされたものであり、筆記軸の移動量の増大に伴うカム本体の回転操作に要する回転トルクの増大を抑制することができる複合筆記具を提供することを目的とする。
【課題を解決するための手段】
【００１２】
上述した課題を解決するため、本発明の一の実施形態の複合筆記具は、先端側に開口部が設けられた軸筒と、該軸筒内に収納される複数の筆記軸と、該軸筒の中心軸線周りに回転するカム本体であって、該複合筆記具（及び該軸筒）の先端側に向けて突出するカム突起と、該カム突起に沿って該複合筆記具（及び該軸筒）の先端側に面する端面と、該カム突起の頂点部分に設けられた係止凹部とを有するカム本体と、該複数の筆記軸それぞれの後端に接続される複数のスライダであって、該複合筆記具の後端側に面して該カム本体の端面に押圧される摺接面が設けられるとともに、該カム本体の係止凹部に係止可能に形成されたカムを有する複数のスライダとを備え、該カム本体の端面は、該カム突起において該複合筆記具の先端側に位置し、該軸筒の中心軸線に対して第１の傾斜角度で傾斜する第１傾斜部と、該カム突起において該第１傾斜部よりも該複合筆記具の後端側に位置し、該第１の傾斜角度より大きい第２の傾斜角度で該軸筒の中心軸線に対して傾斜する第２傾斜部とを有することを特徴とする。
【発明の効果】
【００１３】
本発明の実施形態によれば、筆記軸の移動量の増大に伴うカム本体の回転操作に要する回転トルクの増大を抑制することができる複合筆記具を提供することができる。
【図面の簡単な説明】
【００１４】
【図１】本発明の一の実施の形態に係る複合筆記具を該複合筆記具の中心軸線を含む平面で切断して示す断面図である。
【図２】本発明の一の実施の形態に係る複合筆記具を分解して示す斜視図である。
【図３】本発明の一の実施の形態に係るカム本体を後方より見て示す図である。
【図４】図３に示すカム本体を該カム本体の中心軸線を含む一の平面で切断してＡ−Ａ矢印方向より見て示す断面図である。
【図５】図３に示すカム本体を該カム本体の中心軸線を含む他の平面で切断してＢ−Ｂ矢印方向より見て示す断面図である。
【図６】図４のＣ矢印の方向より見て示す本発明の一の実施の形態に係るカム本体の図である。
【図７】本発明の一の実施の形態に係るカム本体の端面を平面上に展開して示す展開図である。
【図８】本発明の一の実施の形態に係る収納状態におけるカム本体とカムとの関係を示す図である。
【図９】本発明の一の実施の形態に係る収納状態におけるカム本体とカムとの関係を平面上に展開して示す展開図である。
【図１０】本発明の一の実施の形態に係る突出状態におけるカム本体とカムとの関係を示す図である。
【図１１】本発明の一の実施の形態に係る突出状態におけるカム本体とカムとの関係を平面上に展開して示す展開図である。
【図１２】複合筆記具において筆記軸の突出量を増大させた場合のカム本体とカムとの関係を説明するために、該筆記軸の突出量を増大させた場合のカム本体とカムとを平面上に展開して示す展開図である。
【図１３】複合筆記具において筆記軸の引込量を増大させた場合のカム本体とカムとの関係を説明するために、該筆記軸の引込量を増大させた場合のカム本体とカムとを平面上に展開して示す展開図である。
【発明を実施するための形態】
【００１５】
以下、図面を参照しながら、本発明に係る一の実施形態について説明する。
【００１６】
まず、一の実施の形態に係る複合筆記具１の構成について説明する。この複合筆記具１は、複数の筆記軸を軸筒内に収納するとともに、収納した筆記軸のうち１つを選択的に突出させる筆記具である。以降の説明において、複合筆記具の中心軸線の延在方向（柱状に構成される複合筆記具の長手方向）を中心軸線方向（あるいは、単に「軸線方向」）、軸線方向における筆記軸を突出させる方向の端部を複合筆記具の先端、その逆側端部を複合筆記具の後端とする。図１は、シャープペンシル筆記軸を選択的に突出させた状態の複合筆記具１を示す断面図である。図２は、複合筆記具１を分解して示す斜視図である。
【００１７】
図１及び図２に示すように、複合筆記具１は、先軸筒１１、後軸筒１２、胴リング１３、消しゴム受台１４ａ、消しゴム１４ｂ、消しゴムカバー１４ｃ、嵌合筒２１、案内筒２２、黒色及び赤色インクの２つのボールペン筆記軸３０、筆記芯をチャック及び送り出し可能な１つのシャープペンシル筆記軸３１、スライダ４１、スプリング４２を備える。
【００１８】
先軸筒１１は、後軸筒１２に対して互いに相対回転可能となるように、後に詳述する嵌合筒２１等を介して後軸筒１２に接続されて複合筆記具１の軸筒を構成する略円筒状の部材である。本実施形態の軸筒は、複数の筆記軸としての２つのボールペン筆記軸３０及び１つのシャープペンシル筆記軸３１を収納する。また、先軸筒１１には、収納された複数の筆記軸のいずれか１つが選択的に突出される開口部１１ａが、先細となるように形成された複合筆記具１の先端側に形成される。
【００１９】
後軸筒１２は、後に詳述する嵌合筒２１等を介して、先軸筒１１に互いに相対回転可能に接続されることにより複合筆記具１の軸筒を構成する円筒状の部材である。
【００２０】
胴リング１３は、その内周が後軸筒１２の先端外周部に嵌合される円筒状の部材であり、先軸筒１１と後軸筒１２との接続部分を被覆する。
【００２１】
消しゴム受台１４ａは円筒状の外周壁を有し、後に詳述するように、その中央部に設けられた隔壁から前方に向けて突出する係合突起の先端が、後軸筒１２内に固定されたカム本体２３内で、案内筒２２の係止鍔２２ｂと相対回転可能に係合するように構成される。消しゴム受台１４ａには、その後端側から消しゴム１４ｂが挿入されるとともに消しゴムカバー１４ｃが被着される。また、消しゴム受台１４ａの前部外周面には螺子が形成され、カム本体２３の後部内周面に形成された螺子と締結されてクリップ１５の基部を後軸筒１２の後端に挟着する。
【００２２】
嵌合筒２１は、軸筒内に配置される円筒状の部材であり、先軸筒１１に対して着脱可能かつ相対回転不能に嵌合されるとともに、後軸筒１２に対して相対回転可能に係止された案内筒２２に結合される。嵌合筒２１の後部内周面は、案内筒２２の前部外周面に結合されるとともに、嵌合筒２１及び案内筒２２の筒内には複数の筆記軸が挿通される。
【００２３】
案内筒２２は、軸筒内に配置され、前部が円筒状で後部が円柱状の部材である。案内筒２２の円筒状の前部と円柱状の後部との中間部には仕切部２２ｃが設けられる。案内筒２２の前部は、嵌合筒２１の後部に結合されることによって、先軸筒に対して相対回転不能となる。案内筒２２の後部は、後に詳述するように、後軸筒１２に固定されたカム本体２３に対して相対回転可能に係止される。案内筒２２の後部の周方向に所定間隔だけ離間した３箇所には、後端から先端側に向けて延在する３つの案内溝２２ａが形成される。各案内溝２２ａは、後に詳述するスライダ４１の軸線方向への摺動をガイドする。案内筒２２の後端部には３つの係止鍔２２ｂが形成され、これら３つの係止鍔２２ｂは後に詳述するカム本体２３の内周壁の内周段部２３ａ（図３参照）に相対回転可能に係止される。
【００２４】
カム本体２３は、先端側に突出するカム突起２３０が形成された略円筒状の部材であり、後軸筒１２内に固定して配置される。カム本体２３の内周壁には、その後方から見たときに円形の開口を形成する内周段部２３ａ（図３参照）が形成される。このカム本体２３の内周段部２３ａ（円形開口の周辺部）に先端側から案内筒２２の係止鍔２２ｂが挿入されて係止される。このように係止された状態の３つの係止鍔２２ｂの中央に、消しゴム受台１４ａの隔壁から前方に突出する係合突起の先端部が後端側から挿入されることで、案内筒２２はカム本体２３に相対回転可能に係止される。カム本体２３の外周壁には係止溝２３ｂが形成される。この係止溝２３ｂが後軸筒１２の内周壁から内径方向に向けて突出する突起部１２ａと係合することにより、カム本体２３は後軸筒１２に対して相対回転不能に固定される。このような構成によれば、一体として組み付けられた案内筒２２、嵌合筒２１、及び先軸筒１１は、カム本体２３及び後軸筒１２に対して相対回転可能となる。先軸筒１１と後軸筒１２は、軸筒の中心軸線を回転軸として相対回転するため、カム本体２３は、軸筒の中心軸線周りに回転する。
【００２５】
ボールペン筆記軸３０は、回転してインキを吐出するボールを有する筆記チップとインキを収容する芯パイプとを有するリフィル３０１、後端軸３０２、及び継手３０３を備える。リフィル３０１はその後端が継手３０３の先端と接続され、後端軸３０２はその先端が継手３０３の後端と接続される。
【００２６】
シャープペンシル筆記軸３１は、筆記芯を収容する芯タンク３１２と、芯タンク３１２に収容された筆記芯を先端側に送り出してチャックすることができるチャックを有する筆記チップ３１１とを備える。筆記チップ３１１はその後端が芯タンク３１２の先端と接続される。
【００２７】
スライダ４１は、複数の筆記軸それぞれの後端、具体的には、ボールペン筆記軸３０の後端軸３０２の後端、または、シャープペンシル筆記軸３１の芯タンク３１２の後端に連結される部材である。スライダ４１には、軸筒に向けて外径方向に突出するカム４１ａが形成されており、このカム４１ａは、複合筆記具１の後端側に面し、外径方向より見て略Ｖ字形状に延在する摺接面を有する。３つのスライダ４１は、先軸筒１１と後軸筒１２とが相対回転する際の回転軸心となる複合筆記具１の中心軸線周りの周方向において、互いに１２０°離間した位置に配置される。
【００２８】
スプリング４２は、複数の筆記軸の各々（より詳細には、後端軸３０２、または、芯タンク３１２）の周囲に巻回されてスライダ４１と案内筒２２の仕切部２２ｃとの間に介挿される圧縮コイルばねである。スプリング４２は、その復元力によりスライダ４１を後端側へと常時付勢する。このため、複合筆記具１の後端側に面する（接触面を向ける）ように形成されたスライダ４１のカム４１ａの摺接面は、複合筆記具１の先端側に面する（接触面を向ける）ように形成されたカム本体２３の端面（カム駆動曲面）に常時付勢される。
【００２９】
図３乃至図６を参照して、カム本体２３の端面（カム駆動曲面）について説明する。図３はカム本体２３を後方より見て示し、図４はカム本体２３をその中心軸線を含む平面で切断してＡ−Ａ方向より見て示し、図５はカム本体２３をその中心軸線を含んで図４の切断面と直交する平面で切断してＢ−Ｂ方向より見て示し、図６はカム本体２３を図４のＣ矢印方向より見て示す図である。カム本体２３は、複合筆記具１の先端側に向けて突出するカム突起２３０と、カム突起２３０に沿って複合筆記具１の先端側に面するように形成された端面２３１と、カム突起２３０の頂点部分にスライダ４１のカム４１ａの係止部として形成された係止凹部２３２とを有する。ここでカム突起２３０の頂点部分とは、カム突起２３０の突出の中央部分を指し、端面２３１において、最も先端側に位置する部分を示す。端面２３１に対向して配置されるスライダ４１のカム４１ａの摺接面は、端面２３１に対して摺接し、筆記軸が先端側に突出する突出状態では、係止凹部２３２内に係止される。
【００３０】
図７を参照して、カム本体２３の端面２３１について更に説明する。図７は中心軸線Ａの周方向に延在するカム本体２３の端面２３１の全周を平面上に展開して示す展開図である。端面２３１は、その先端側の交差角度（第１の先端角度）が２θａに形成された先端側の第１傾斜部２３１ａと、その先端側の交差角度（第２の先端角度）が２θｂに形成された後端側の第２傾斜部２３１ｂとを有する。ここで、第１傾斜部２３１ａの第１の先端角度２θａは平面上に展開した状態で３８°、即ち、軸筒の中心軸線Ａからの第１の傾斜角度θａは１９°であり、従来の複合筆記具と比較してより小さな中心軸線Ａに対する傾斜角度（急峻）に形成されている。一方、第２傾斜部２３１ｂの第２の先端角度２θｂは平面上に展開した状態で４６°、即ち、中心軸線Ａからの第２の傾斜角度θｂは２３°であり、第１傾斜部２３１ａの第１の傾斜角度θａよりも大きな中心軸線Ａに対する傾斜角度（緩慢）に形成されている。
【００３１】
このように構成する場合には、第１傾斜部２３１ａの中心軸線Ａに対する第１の傾斜角度θａを従来よりも減少させて筆記軸の移動量を増大させた場合にも、カム本体２３の回転操作に要する回転トルクの増大を抑制することができる。第２傾斜部２３１ｂを設けることにより、ユーザはカム本体２３の回転操作の初動において容易に回転操作を開始することができるから、複合筆記具１の操作性を向上させることができる。また、ユーザによる回転操作の回転速度（回転慣性）がある程度得られた状態で第１傾斜部２３１ａにおける回転操作をおこなうことができるから、ユーザは容易に筆記軸を突出させることができる。また、第１傾斜部２３１ａを中心軸線Ａに対して従来よりも小さな第１の傾斜角度θａで傾斜するように形成することによって、複合筆記具１の軸筒から従来よりも大きな突出量で筆記軸を突出させて用いることができるから、ユーザはより容易に複合筆記具１を用いることができる。また、筆記軸を軸筒内に収納する際には、スプリング４２によって後方に常時付勢された筆記軸は、中心軸線Ａに対して従来よりも小さな第１の傾斜角度θａで傾斜するように形成された第１傾斜部２３１ａによって従来よりも加速されて軸筒内に収納される。このため、従来よりも素早く筆記軸を軸筒内に収納することができるから、複合筆記具１の操作性を更に向上させることができる。
【００３２】
カム本体２３の端面２３１は、第１傾斜部２３１ａと第２傾斜部２３１ｂとを接続する第３傾斜部２３１ｃを更に有する。第３傾斜部２３１ｃの中心軸線Ａに対する第３の傾斜角度は、第２傾斜部２３１ｂの第２の傾斜角度θｂよりも更に大きく（緩慢に）形成される。このように構成する場合には、第３傾斜部２３１ｃに摺接するスライダ４１のカム４１ａを第２傾斜部２３１ｂに摺接する場合よりも更に小さな回転トルクによって前進駆動させることができる。このため、スライダ４１のカム４１ａが第１傾斜部２３１ａへの摺接を開始することによって生じるカム本体２３の回転操作に要する回転トルクの急増を相殺することができるように、ユーザによるカム本体２３の回転操作の回転速度（回転慣性）を予め急増させておくことができる。これにより、複合筆記具１の操作性を更に向上させることができる。
【００３３】
また、第１傾斜部２３１ａと第３傾斜部２３１ｃとの接続部及び第２傾斜部２３１ｂと第３傾斜部２３１ｃとの接続部は曲面として構成されており、更に、傾斜部間の傾斜角度が連続的に変化するように形成されている。このように構成する場合には、カム本体２３の回転操作に要する回転トルクの変動を抑制することができ、更に、回転トルクの変動を連続的なものとすることができる。このため、複合筆記具１の操作性を更に向上させることができる。
【００３４】
カム本体２３の端面２３１は、第４傾斜部２３１ｄを更に有する。この第４傾斜部２３１ｄは、カム本体２３の周方向において係止凹部２３２と対向する位置で、最も筆記軸の引込量が大きくなる後端凹部を形成するように傾斜する。このように構成すると、筆記軸の引込量を更に大きくすることができると共に、筆記軸の引込量が最大となる回転位置へカム本体２３の回転を誘導する方向に回転反力を生じさせることができる。ユーザは第４傾斜部２３１ｄが発生する回転反力を感知しながらカム本体２３の回転操作をおこなうことができるから、筆記軸が最も引き込まれた収納位置に筆記軸を収納させることができる。このため、筆記軸が破損してしまうことのないように筆記軸を軸筒内に十分に引き込んで収納することができるとともに、意図しない筆記軸の突出を防止することができる。
【００３５】
また、上述の第３傾斜部２３１ｃの場合と同様に、第４傾斜部２３１ｄと第２傾斜部２３１ｂとの接続部を曲面として構成し、更に、傾斜部間の傾斜角度が連続的に変化するように形成する場合には、カム本体２３の回転操作に要する回転トルクの変動を抑制することができ、更に、回転トルクの変動を連続的なものとすることができるから、複合筆記具１の操作性を更に向上させることができる。
【００３６】
図８乃至図１１を参照して、複合筆記具１の回転操作について更に説明する。図８及び図９は、収納状態におけるカム本体２３とスライダ４１のカム４１ａとの関係を示す図であり、図９はカム本体２３とスライダ４１のカム４１ａとの関係を平面上に展開して示す展開図である。図８及び図９に示す収納状態では、第４傾斜部２３１ｄが形成する後端凹部内に１つのカム４１ａが位置し、残りの２つのカム４１ａが第１傾斜部２３１ａに位置することで、全ての筆記軸が後端側に引き込まれて軸筒内に収納される。第１傾斜部２３１ａに位置する２つのカム４１ａは、軸筒の軸線方向において略同位置に位置して、２つのカム４１ａそれぞれのスプリング４２間の付勢力が均衡し、更に、１つのカム４１ａが後端凹部内に位置するから、収納状態における３つのカム４１ａの位置が安定する。複合筆記具１を突出状態から収納状態とする際には、１つのカム４１ａが後端凹部内に位置することで、複合筆記具１が収納状態となったことをクリック感によりユーザに伝達することができる。
【００３７】
図１０及び図１１は、突出状態におけるカム本体２３とスライダ４１のカム４１ａとの関係を示す図であり、図１１はカム本体２３とスライダ４１のカム４１ａとの関係を平面上に展開して示す展開図である。図１０及び図１１に示す突出状態では、１つのカム４１ａが係止凹部２３２内に位置し、残りの２つのカム４１ａが第２傾斜部２３１ｂに位置することで、１つの筆記軸を開口部１１ａから突出させる。
【００３８】
従来の複合筆記具では、中心軸線に対するカム本体の端面の傾斜角を小さくすると、筆記軸の突出時の慣性によってスライダのカムがカム本体の係止凹部に係合しにくくなって、係止凹部と係合せずに、係止凹部を飛び越えて回転されてしまうという問題も生じる可能性があった。しかし、複合筆記具１では、ユーザが選択した１つの筆記軸が突出した状態で、残りの２つの筆記軸のカム４１ａの摺接面が第２傾斜部２３１ｂに接触し、この接触によって係止凹部２３２に係止されるカム４１ａが係止凹部２３２を越える際に回転反力を生じさせることができる。このため、ユーザは選択した筆記軸が係止凹部２３２に係止された突出状態で回転操作を停止することができ、選択した筆記軸を安定して突出させることができる。
【００３９】
本発明の実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１  複合筆記具
１１  先軸筒
１２  後軸筒
２３  カム本体
３０  ボールペン筆記軸
３１  シャープペンシル筆記軸
４１  スライダ
４１ａ  カム
２３０  カム突起
２３１  端面
２３１ａ  第１傾斜部
２３１ｂ  第２傾斜部
２３１ｃ  第３傾斜部
２３１ｄ  第４傾斜部
２３２  係止凹部
【図１】
2017104324.tif 000003
【図２】
2017104324.tif 000004
【図３】
2017104324.tif 000005
【図４】
2017104324.tif 000006
【図５】
2017104324.tif 000007
【図６】
2017104324.tif 000008
【図７】
2017104324.tif 000009
【図８】
2017104324.tif 000010
【図９】
2017104324.tif 000011
【図１０】
2017104324.tif 000012
【図１１】
2017104324.tif 000013
【図１２】
2017104324.tif 000014
【図１３】
2017104324.tif 000015
【国際調査報告】
2017104324.tif 000016
2017104324.tif 000017